(57)【要約】【課題】コストアップとなることなく、使用に当たって、開閉カバー等の開閉部材が確実に閉じられていることを確認可能とするとともに、後処理装置等の着脱ユニットが確実に装置本体にセットされていることを確認可能とする。【解決手段】画像形成装置（着脱ユニット付き装置）には、シート搬送ガイド板（開閉部材）２６を有するシート反転装置（着脱ユニット）２００がプリンタ本体（装置本体）１００に着脱自在に取り付けられている。シート搬送ガイド板にフィラー４２が設けられ、シート搬送ガイド板を閉じた状態でシート反転装置がプリンタ本体に取り付けられたときはじめてフィラーを検知する検知手段３０が備えられている。【選択図】図３
2009073582.tif 000002
【特許請求の範囲】
【請求項１】
開閉部材を有する着脱ユニットが装置本体に着脱自在に取り付けられている着脱ユニット付き装置において、
前記開閉部材にフィラーが設けられ、前記開閉部材を閉じた状態で前記着脱ユニットが前記装置本体に取り付けられたとき前記フィラーを検知する検知手段が備えられていることを特徴とする着脱ユニット付き装置。
【請求項２】
前記着脱ユニットがシート反転装置であり、前記装置本体が画像形成装置本体であることを特徴とする、請求項１に記載の着脱ユニット付き装置。
【請求項３】
前記開閉部材がシート搬送ガイド板であることを特徴とする、請求項２に記載の着脱ユニット付き装置。
【請求項４】
前記検知手段が前記装置本体側に保持されていることを特徴とする、請求項１ないし３のいずれか１に記載の着脱ユニット付き装置。
【発明の詳細な説明】
【技術分野】
【０００１】
この発明は、シート搬送ガイド板等の開閉部材を有するシート反転装置や後処理装置などの着脱ユニットが、画像形成装置本体等の装置本体に、着脱自在に取り付けられている、コピー、ファクシミリ、プリンタ等の画像形成装置などの着脱ユニット付き装置に関する。
【背景技術】
【０００２】
従来、用紙等のシートに画像を記録する画像形成装置の中には、画像記録済みのシートに、仕分けやステイプルや孔開け等の後処理を行うため、画像形成装置本体に後処理装置を取り付けるものがある。この種の後処理装置は、シートがジャムしたり、部品が故障したりすることがあることから、内部を開放可能に開閉カバーを設けるとともに、画像形成装置本体内に対して着脱自在に設けていた。
【０００３】
このため、開閉カバーを有する後処理装置が画像形成装置本体に着脱自在に取り付けられている画像形成装置にあっては、使用に当たって、開閉カバーが確実に閉じられていることを確認するとともに、後処理装置が確実に画像形成装置本体にセットされていることを確認することが必要であった。
【０００４】
よって、従来は、これらの確認を行うために、それぞれ別個にセンサを設けるものがあった。また、これとは別に、後処理装置が画像形成装置本体にセットされていないと、開閉カバーが閉まらない構造となっているものもあった。
【０００５】
【特許文献１】特開２００６−１８５０２号公報
【発明の開示】
【発明が解決しようとする課題】
【０００６】
ところが、それぞれ別個にセンサを設けるものでは、センサ数が多くなってコストアップとなる問題があった。一方、後処理装置が画像形成装置本体にセットされていないと、開閉カバーが閉まらない構造となっているものでは、構造が複雑となるか、セットされていなくても使用可能であるか、どちらかであった。
【０００７】
そこで、この発明の第１の目的は、コストアップとなることなく、使用に当たって、開閉カバー等の開閉部材が確実に閉じられていることを確認可能とするとともに、後処理装置やシート反転装置等の着脱ユニットが確実に装置本体にセットされていることを確認可能とすることにある。
【０００８】
この発明の第２の目的は、複数の着脱ユニットを設けて装置本体に対して交換して着脱自在に取り付けるとき、個々の着脱ユニットのコストダウンを図ることにある。
【課題を解決するための手段】
【０００９】
この発明は、上述した第１の目的を達成すべく、開閉部材を有する着脱ユニットが装置本体に着脱自在に取り付けられている着脱ユニット付き装置において、前記開閉部材にフィラーが設けられ、前記開閉部材を閉じた状態で前記着脱ユニットが前記装置本体に取り付けられたときはじめて前記フィラーを検知する、スイッチ、透過型や反射型の光センサなどの検知手段が備えられていることを特徴とする。
【００１０】
着脱ユニットは、例えば画像形成装置本体から排出した用紙等のシートを反転して再び画像形成装置本体に再供給するシート反転装置であり、装置本体は、例えばシートに画像を記録する画像形成装置本体である。開閉部材は、例えば搬送するシートを案内するシート搬送ガイド板である。
【００１１】
上述した第２の目的を達成すべく、検知手段は、透過型や反射型の光センサ、スイッチなどであり、着脱ユニット側ではなく、装置本体側に保持されるようにするとよい。
【発明の効果】
【００１２】
この発明によれば、開閉部材を閉じた状態で着脱ユニットが装置本体に取り付けられたとき、はじめて検知手段で、開閉部材に設けられたフィラーを検知するので、使用に当たって、１つの検知手段で、開閉カバー等の開閉部材が確実に閉じられていることを確認可能とするとともに、後処理装置やシート反転装置等の着脱ユニットが確実に装置本体にセットされていることを確認可能とすることができ、検知手段の数を減らしてコストダウンを図ることができる。
【００１３】
検知手段が装置本体側に保持されていると、検知手段の配線を装置本体側に持たせて着脱ユニット側の配線を減らすことができ、複数の着脱ユニットを設けて装置本体に対して交換して着脱自在に取り付けるとき、個々の着脱ユニットのコストダウンを図ることができる。
【発明を実施するための最良の形態】
【００１４】
以下、図面を参照しつつ、この発明の実施の最良形態につき説明する。
図１には、この発明に係る着脱ユニット付き装置の一例として示すインクジェットプリンタのシート反転装置取付部分の構成を示す。図示インクジェットプリンタは、画像形成装置本体であるプリンタ本体１００に、着脱ユニットであるシート反転装置２００が着脱自在に取り付けられている。
【００１５】
プリンタ本体１００には、内部に、用紙等のシートに画像を記録する不図示の画像記録部が備えられており、またシート反転装置２００が取り付けられる側面に、画像記録部で画像記録済みのシートをシート反転装置２００に向けて排出する排出口１０と、シート反転装置２００からのシートを受け取る受取り口１２とが上下に設けられている。
【００１６】
一方、シート反転装置２００には、受入れ口２０から排出口２１に向けてループ状にシート搬送路２２が形成されており、その搬送路２２には、この例では３つの搬送ローラ対２３、２４、２５が設けられている。搬送ローラ対２３、２４、２５は、それぞれ大ローラ２３ａ、２４ａ、２５ａと、小ローラ２３ｂ、２４ｂ、２５ｂとから構成されている。
【００１７】
ここで、２つの小ローラ２３ｂ、２４ｂは、ともに１つの開閉部材であるシート搬送ガイド板２６に取り付けられている。シート搬送ガイド板２６は、支軸２７を中心として図中矢示方向に開閉自在とされている。シート搬送ガイド板２６の受入れ口２０側には、入口ガイド２８が設けられている。
【００１８】
そして、プリンタ本体１００の排出口１０から排出された画像記録済みのシートがシート反転装置２００の受入れ口２０から受け入れられ、入口ガイド２８によって案内されて内部に導かれ、３つの搬送ローラ対２３、２４、２５でシート搬送路２２を通して搬送され、表裏反転されて排出口２１から受取り口１２を通して再びプリンタ本体１００に戻される。
【００１９】
図２には、シート反転装置２００の外観と、その取り付けを検知する検知手段３０を示す。検知手段３０は、プリンタ本体１００側に、図示省略するが、例えばねじ止めなどによって保持されている。検知手段３０には、後述するフィラー４２が入り込む検知スリット３１が形成され、その検知スリット３１に入り込んだフィラーを検知する透過型や反射型の光センサ、スイッチなどが内蔵されている検知部３２が、箱形状の本体部３３から突出して設けられている。
【００２０】
シート反転装置２００には、受入れ口２０および排出口２１を有する側の手前側と奥側の両方に、突き当て凸部３４、３５が設けられ、各々その下に位置して操作レバー３６、３７のフック部３６ａ、３７ａが突出している。操作レバー３６、３７は、手前側および奥側の側板３８、３９内を通って反対側までのびており、反対側には手掛け部３６ｂ、３７ｂ（ただし、図では、奥側の手掛け部３７ｂは隠れて見えない）が覗いている。そして、中間位置を支点として、上下に回動可能に支持されている。
【００２１】
このシート反転装置２００の頂面には、手前側から奥側へと細長い入口ガイド２８が設けられ、また開閉ボタン４０を押すことにより図中矢示方向に開閉可能にシート搬送ガイド板２６が備えられている。さらに手前側の側板３８には、検知手段３０が本体部３３まで入り込む検知ボックス４１が外向きに突出して設けられている。検知ボックス４１で被われている部分の側板３８は、切り欠かれており、検知ボックス４１内は、内方に向け開放している。
【００２２】
そして、このシート反転装置２００をプリンタ本体１００に取り付けるときは、シート反転装置２００を持って手掛け部３６ｂ、３７ｂに指を掛け、操作レバー３６、３７を付勢力に抗して回動し、突き当て凸部３４、３５をプリンタ本体１００側の所定の位置に突き当て、手掛け部３６ｂ、３７ｂから指を離す。すると、付勢力に基づき、操作レバー３６、３７が復帰されてフック部３６ａ、３７ａがプリンタ本体１００側の部材に掛け止めされる。このとき、検知手段３０は、検知ボックス４１内に本体部３３まで挿入され、検知部３２の一部が手前側の側板３８の内側まで入り込むようになっている。
【００２３】
図３には、シート反転装置２００をプリンタ本体１００に取り付けた状態における検知ボックス４１部分を一部を切り欠いて示す。
図中符号４２は、フィラーであり、シート搬送ガイド板２６の手前側から下向きに垂下して設けられている。このフィラー４２は、シート搬送ガイド板２６を閉じた状態でシート反転装置２００がプリンタ本体１００に取り付けられたとき、図示するようにシート反転装置２００の手前側の側板３８の内側を通って検知部３２の検知スリット３１に入り込む。
【００２４】
よって、検知手段３０が検知しない場合は、シート反転装置２００がセットされていないか、またはシート搬送ガイド板２６が開いていると判断される。
【００２５】
これにより、シート搬送ガイド板２６を閉じた状態でシート反転装置２００がプリンタ本体１００に取り付けられたとき、はじめて検知手段３０で、シート搬送ガイド板２６に設けられたフィラー４２を検知するので、使用に当たって、１つの検知手段３０で、シート搬送ガイド板２６が確実に閉じられていることを確認可能とするとともに、シート反転装置２００が確実にプリンタ本体１００にセットされていることを確認可能とすることができ、検知手段の数を減らしてコストダウンを図ることができる。
【００２６】
また、図示例のように、検知手段３０がプリンタ本体１００側に保持されていると、検知手段３０の配線をプリンタ本体１００側に持たせてシート反転装置２００側の配線を減らすことができ、シート反転装置２００の他、後処理装置など複数の着脱ユニットを設けてプリンタ本体１００に対して交換して着脱自在に取り付けるとき、個々の着脱ユニット側の配線を減らして個々の着脱ユニットのコストダウンを図ることができる。
【図面の簡単な説明】
【００２７】
【図１】この発明に係る着脱ユニット付き装置の一例として示すインクジェットプリンタのシート反転装置取付部分構成図である。
【図２】シート反転装置の外観と、その取り付けを検知する検知手段を示す斜視図である。
【図３】シート反転装置をプリンタ本体に取り付けた状態における検知ボックス部分を、一部を切り欠いて示す斜視図である。
【符号の説明】
【００２８】
１００    プリンタ本体（装置本体）
２００    シート反転装置（着脱ユニット）
１０    排出口
１２    受取り口
２０    受入れ口
２１    排出口
２２    シート搬送路
２３、２４、２５    搬送ローラ対
２３ａ、２４ａ、２５ａ    大ローラ
２３ｂ、２４ｂ、２５ｂ    小ローラ
２６    シート搬送ガイド板（開閉部材）
２７    支軸
２８    入口ガイド
３０    検知手段
３１    検知スリット
３２    検知部
３３    本体部
３４、３５    突き当て凸部
３６、３７    操作レバー
３６ａ、３７ａ    フック部
３６ｂ、３７ｂ    手掛け部
３８    手前側の側板
３９    奥側の側板
４０    開閉ボタン
４１    検知ボックス
４２    フィラー
【図１】
2009073582.tif 000003
【図２】
2009073582.tif 000004
【図３】
2009073582.tif 000005